(57)【要約】【課題】分離して運搬した後に設置場所にて容易に組み立てることが可能で、かつ、接続箇所の前面からの十分な光を照射でき、被写体を美しく照明できる写真シール作成装置１を提供し、ユーザ（被写体）の満足度を向上させることを目的とする。【解決手段】写真シール作成装置１について、照明装置７５を備えた撮影筐体３を有し、該撮影筐体３は、上部ユニット３ａと下部ユニット３ｂとが高さ方向に接続されて完成する構成であり、該撮影筐体３の前面に、接続された前記上部ユニット３ａと前記下部ユニット３ｂにまたがって取り付けられる主拡散板１１を備えた。【選択図】図５
2010256579.tif 000002
【特許請求の範囲】
【請求項１】
一以上の被写体を照明する照明手段と、
該被写体を撮影して撮影画像を作成する撮影処理が実行可能な撮影手段と、
該撮影画像を編集して編集画像を作成する編集処理が実行可能な編集手段と、
所定の画像を出力する出力処理が実行可能な出力手段とを備えた写真撮影編集装置であって、
前記照明手段を備えた撮影筐体を有し、
該撮影筐体は、上部ユニットと下部ユニットとが高さ方向に接続されて完成する構成であり、
前記上部ユニットと下部ユニットが高さ方向に接続された状態の前記撮影筐体の高さは２０００ｍｍ以上であり、
該撮影筐体の前面に、接続された前記上部ユニットと前記下部ユニットにまたがって取り付けられる拡散板を備えた
写真撮影編集装置。
【請求項２】
前記拡散板は、後方へ凸な平面視円弧状に湾曲した湾曲形状で前記上部ユニットと前記下部ユニットにまたがって横断面が同一形状となる略鉛直方向に真っ直ぐな形状に形成された
請求項１記載の写真撮影編集装置。
【請求項３】
前記下部ユニットは、
両側壁近傍の各前面に設けられて前記拡散板の側端近傍部を固定する鉛直方向に長い下部ユニット側部固定ガイドと、
左右方向中央から左右の前記下部ユニット側部固定ガイドまでの各間で該下部ユニット側部固定ガイドよりも後方となる各中間位置にそれぞれ設けられて前記拡散板を固定する鉛直方向に長い下部ユニット中間部固定ガイドとを備え、
前記上部ユニットは、
前記下部ユニットに接続された状態で前記下部ユニット側部固定ガイドの上方に一直線状に配される上部ユニット側部固定ガイドと、
前記下部ユニットに接続された状態で前記下部ユニット中間部固定ガイドの上方に一直線状に配される上部ユニット中間部固定ガイドとを備えた
請求項２記載の写真撮影編集装置。
【請求項４】
前記拡散板は、左右の前記上部ユニット中間部固定ガイドと左右の前記下部ユニット中間部固定ガイドとがそれぞれ一直線状に配置された左右の中間部固定ガイドの間に配置される中央部拡散板と、
左右の前記上部ユニット側部固定ガイドと左右の前記下部ユニット側部固定ガイドとがそれぞれ一直線状に配置された左右の側部固定ガイドから左右それぞれの前記中間部固定ガイドの間に配置される左右の側部拡散板とによる３枚構成に形成され、
前記中央部拡散板の両側部と左右の前記側部拡散板の内側部とが重ね合わせた状態で前記中間部固定ガイドに固定される構成である
請求項３記載の写真撮影編集装置。
【請求項５】
前記下部ユニットの高さは、一般的なエレベータの出入り口高さよりも低く形成され、
前記上部ユニットの高さは、前記エレベータの出入り口高さと前記下部ユニットの高さの差よりも高く形成され、
前記拡散板は、前記エレベータの出入り口高さより低い高さに形成され、かつ、前記上部ユニットおよび下部ユニットに固定された状態になると該拡散板の上端が前記エレベータの出入り口高さよりも高い位置となる構成である
請求項１から４のいずれか１つに記載の写真撮影編集装置。
【請求項６】
前記拡散板の下方で前方位置に下部拡散板を備え、
該下部拡散板は、
前下がりに傾斜する傾斜面と、
後方へ凸な平面視円弧状に湾曲し略鉛直方向に真っ直ぐな形状の湾曲面とを有し、
該傾斜面と湾曲面とが繋がって一体形成されている
請求項１から５のいずれか１つに記載の写真撮影編集装置。
【発明の詳細な説明】
【技術分野】
【０００１】
この発明は、例えばユーザを撮影して撮影画像を取得し、この撮影画像に編集許容して編集画像を取得し、この編集画像を出力するような写真撮影編集装置に関する。
【背景技術】
【０００２】
従来、写真撮影編集装置は、娯楽（遊戯）施設等に設置され、被写体を撮影し、撮影で得た画像に編集（落書き）を行い、編集が施された編集画像もしくは撮影画像を写真シール紙に印刷するという流れで１ゲームが終了する。
【０００３】
そのような写真撮影編集装置には、撮影画像にタッチペンなどで任意の文字や図形やスタンプ画像を合成できる編集機能が備わっている。女子中学生や女子高生は、複数人の友達同士で写真撮影編集装置を利用して、撮影や編集やゲームを楽しんでいる。
【０００４】
近年、ストロボや照明の配置、ストロボ構造を工夫して被写体に十分な光があたるようにした写真撮影編集装置が提案されている（特許文献１，２参照）。このような写真撮影編集装置は、被写体の写りが重要視されており、被写体に十分な光を当てることで、写りがよい撮影画像をユーザに提供するようにしている。
【０００５】
ここで、被写体の上部に光が十分あたるように、照明部を大きく構成した写真撮影編集装置の場合、分離した状態で運搬し、設置場所で組み立てる作業が行われる。特に、照明部を高くした場合、運搬時はエレベータ出入り口を通過できる高さに分離し、組み立て完成時にエレベータ出入り口の高さより高くなるような構成にする必要がある。
【先行技術文献】
【特許文献】
【０００６】
【特許文献１】特開２００６−２０１６２３号公報
【特許文献２】特開２００７−１６３９４８号公報
【発明の概要】
【発明が解決しようとする課題】
【０００７】
しかし、上述した先行技術文献１，２のような写真撮影編集装置は、分離する数が多ければ、運搬数が多くなり、その分の組立時間を要するという問題点がある。また、分離箇所が多ければ、接続箇所が増加し、その接続箇所は光を発光することができず照明に影響を与えるという問題点もある。例えば、ちょうど被写体の目の高さ付近に接続箇所が位置すると、被写体に十分な光があたらないことになる。
【０００８】
この発明は、上述の問題に鑑み、分離して運搬した後に設置場所にて容易に組み立てることが可能で、かつ、接続箇所の前面からの十分な光を照射でき、被写体を美しく照明できる写真撮影編集装置を提供し、ユーザ（被写体）の満足度を向上させることを目的とする。
【課題を解決するための手段】
【０００９】
この発明は、一以上の被写体を照明する照明手段と、該被写体を撮影して撮影画像を作成する撮影処理が実行可能な撮影手段と、該撮影画像を編集して編集画像を作成する編集処理が実行可能な編集手段と、所定の画像を出力する出力処理が実行可能な出力手段とを備えた写真撮影編集装置であって、前記照明手段を備えた撮影筐体を有し、該撮影筐体は、上部ユニットと下部ユニットとが高さ方向に接続されて完成する構成であり、前記上部ユニットと下部ユニットが高さ方向に接続された状態の前記撮影筐体の高さは２０００ｍｍ以上であり、該撮影筐体の前面に、接続された前記上部ユニットと前記下部ユニットにまたがって取り付けられる拡散板を備えた写真撮影編集装置であることを特徴とする。
【００１０】
前記照明手段は、ストロボ発光するストロボ照明装置、又は／及び、蛍光灯や白熱灯等の連続照明装置で構成することができる。  
前記撮影手段は、デジタルカメラ又はデジタルビデオカメラで構成することができる。
【００１１】
前記編集画像は、撮影画像に背景画像を合成した画像やアイテム画像を合成した画像やペンツールで手書き入力した画像など、撮影画像を編集した適宜の画像とすることができる。
【００１２】
前記編集手段は、撮影画像に対して合成する背景画像を選択する、アイテム画像を重ね合わせる操作を許容する、あるいはペン入力を重ねあわせる操作を許容するなど、適宜の編集を許容することができる。
【００１３】
前記所定の画像は、前記撮影画像等の編集前の画像、又は編集前の画像を編集手段で編集した編集画像、又は、前記編集前の画像又は／及び前記編集画像から選択された複数の画像で構成することができる。
【００１４】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。前記印刷手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷媒体に印刷する印刷装置で構成することができる。前記印刷媒体は、印刷可能層の裏側に粘着層を備えたシール紙（シール媒体）等、貼付可能媒体で構成することができる。前記シール紙は、印刷可能層の裏側に粘着層を備えたシール媒体等、貼付可能媒体で構成することができる。
【００１５】
前記拡散板は、乳白色のアクリル板、あるいはすりガラスなど、半透明の板材により形成することができる。
【００１６】
この発明により、分離して運搬した後に設置場所にて容易に組み立てることが可能で、かつ、接続箇所の前面からの十分な光を照射でき、被写体を美しく照明できる写真撮影編集装置を提供し、ユーザ（被写体）の満足度を向上させることができる。
【００１７】
この発明の態様として、前記拡散板は、後方へ凸な平面視円弧状に湾曲した湾曲形状で前記上部ユニットと前記下部ユニットにまたがって横断面が同一形状となる略鉛直方向に真っ直ぐな形状に形成されることができる。
【００１８】
これにより、撮影筐体前方の幅方向中心位置に向かって照明光を集めることができ、明るく照明した被写体の撮影画像を得ることができる。また、略鉛直方向に意図しない影や照明不十分なところができるのを防止でき、自然で美しい撮影画像を得ることができる。
【００１９】
またこの発明の態様として、前記下部ユニットは、両側壁近傍の各前面に設けられて前記拡散板の側端近傍部を固定する鉛直方向に長い下部ユニット側部固定ガイドと、左右方向中央から左右の前記下部ユニット側部固定ガイドまでの各間で該下部ユニット側部固定ガイドよりも後方となる各中間位置にそれぞれ設けられて前記拡散板を固定する鉛直方向に長い下部ユニット中間部固定ガイドとを備え、前記上部ユニットは、前記下部ユニットに接続された状態で前記下部ユニット側部固定ガイドの上方に一直線状に配される上部ユニット側部固定ガイドと、前記下部ユニットに接続された状態で前記下部ユニット中間部固定ガイドの上方に一直線状に配される上部ユニット中間部固定ガイドとを備えることができる。
【００２０】
これにより、拡散板を安定して固定することができ、かつ、拡散板からの光の照射を上下方向に分断することなく略均一に行うことができる。
【００２１】
またこの発明の態様として、前記拡散板は、左右の前記上部ユニット中間部固定ガイドと左右の前記下部ユニット中間部固定ガイドとがそれぞれ一直線状に配置された左右の中間部固定ガイドの間に配置される中央部拡散板と、左右の前記上部ユニット側部固定ガイドと左右の前記下部ユニット側部固定ガイドとがそれぞれ一直線状に配置された左右の側部固定ガイドから左右それぞれの前記中間部固定ガイドの間に配置される左右の側部拡散板とによる３枚構成に形成され、前記中央部拡散板の両側部と左右の前記側部拡散板の内側部とが重ね合わせた状態で前記中間部固定ガイドに固定される構成とすることができる。
【００２２】
これにより、上部ユニットと下部ユニットの各ガイドが一直線状に配置され、上部ユニットと下部ユニットを安定して接続することができるとともに、この一直線状の各ガイドに拡散板を安定して固定することができる。
【００２３】
またこの発明の態様として、前記下部ユニットの高さは、一般的なエレベータの出入り口高さよりも低く形成され、前記上部ユニットの高さは、前記エレベータの出入り口高さと前記下部ユニットの高さの差よりも高く形成され、前記拡散板は、前記エレベータの出入り口高さより低い高さに形成され、かつ、前記上部ユニットおよび下部ユニットに固定された状態になると該拡散板の上端が前記エレベータの出入り口高さよりも高い位置となる構成とすることができる。
【００２４】
これにより、上部ユニットと下部ユニットとを分離した状態でエレベータにより搬送することができ、設置場所にて上部ユニットと下部ユニットを接続し、一般的なエレベータの出入り口の高さよりも背の高い撮影筐体を完成させることができる。
【００２５】
またこの発明の態様として、前記拡散板の下方で前方位置に下部拡散板を備え、該下部拡散板は、前下がりに傾斜する傾斜面と、後方へ凸な平面視円弧状に湾曲し略鉛直方向に真っ直ぐな形状の湾曲面とを有し、該傾斜面と湾曲面とが繋がって一体形成することができる。
【００２６】
前記下部拡散板は、乳白色のアクリル板、あるいはすりガラスなど、半透明の板材により形成することができる。
【００２７】
この態様により、ユーザの足元も明るく照明することができると共に、傾斜面を通じて斜め下方からユーザの顔を照明することができ、より写りのよい撮影画像を得ることができる。
【発明の効果】
【００２８】
この発明により、分離して運搬した後に設置場所にて容易に組み立てることが可能で、かつ、接続箇所の前面からの十分な光を照射でき、被写体を美しく照明できる写真撮影編集装置を提供することができる。
【図面の簡単な説明】
【００２９】
【図１】写真シール作成装置の全体構成を示す斜視図。
【図２】撮影筐体の斜視図。
【図３】正面の主拡散板を外した状態の撮影筐体の斜視図。
【図４】上部ユニットと下部ユニットと下部拡散板の取り付け説明図。
【図５】上部ユニットと下部ユニットに対する主拡散板の取り付け説明図。
【図６】拡散板の固定構造を断面図により説明する説明図。
【図７】写真シール作成装置の構成を示すブロック図。
【図８】写真シール作成機の制御装置が実行するゲーム処理のフローチャート。
【図９】照明状態を説明する説明図。
【発明を実施するための形態】
【００３０】
この発明の一実施形態を以下図面と共に説明する。  
【実施例】
【００３１】
図１は、写真シール作成装置１の全体構成を示す右後方斜め上から見た斜視図である。  
写真シール作成装置１は、前方（図示左）から順に撮影空間部２、撮影筐体３、および編集筐体４がこの順で配置されている。撮影空間部２と撮影筐体３の天井部分には、天井枠２２が設置されており、この天井枠２２に連結して編集筐体４の天井部にも天井枠５が設置されている。
【００３２】
撮影空間部２の前方（図示左）の全面には、撮影筐体３と高さおよび幅が同じサイズの背景板２３が設けられ、その両側部に側面板２４が設けられている。側面板２４は、背景板２３と同じ高さであり、該側面板２４と撮影筐体３との間にユーザが出入りする出入り口が形成されている。
【００３３】
撮影空間部２の床面には、床シート２５が敷かれている。この床シート２５と背景板２３と側面板２４は、撮影した際にユーザ（被写体）の背景となり得るものであり、同一色に形成されている。この色は、クロマキー合成に適した緑や青、あるいは白など、適宜の色とすることができる。
【００３４】
撮影空間部２の天井部分の天井枠２２には、天井照明装置２１が設けられている。この天井照明装置２１は、撮影空間部２内のユーザを天井から全体的に明るく照明する。
【００３５】
撮影空間部２の天井部分の前方（図示左）には、背景制御ユニット７４ａが設けられている。この背景制御ユニット７４ａは、例えば色の異なる複数の背景カーテン（ロールカーテン）で構成されており、このうちの適宜の背景カーテンを下降させることで背景色を変更できる。なお、背景制御ユニット７４ａの変わりに、クロマキー合成に適したカーテンを１枚備える構成にしてもよい。この場合、背景となるカーテンが単数でありながら、予め記憶された多種類の背景画像を合成して様々な背景にすることができる。
【００３６】
編集筐体４は、左右両側に編集許容する接客面が設けられている。この左右の接客面には、タブレット内蔵モニタ９１がそれぞれ設けられており、各タブレット内蔵モニタ９１の両横にタッチペン９４が設けられている。タブレット内蔵モニタ９１は、編集用モニタ９２にタブレット９３が重ねて設けられたタッチパネルであり、タッチペン９４でタッチ入力されることで操作入力を受け付ける。
【００３７】
左右両面のタブレット内蔵モニタ９１の側部には、追加印刷用の硬貨投入口９６ａが設けられている。  
編集筐体４の背面（図示右）には、編集画像を分割配置してシール紙に印刷した写真シールシートを排出する写真シールシート排出口９７ａが設けられている。
【００３８】
図２は、撮影筐体３を正面右上から見た斜視図であり、図３は、正面の主拡散板１１を外した状態の撮影筐体３を正面右上から見た斜視図であり、図４は、撮影筐体３の上部ユニット３ａと下部ユニット３ｂの接続、および下部拡散板１５の取り付けを説明する説明図であり、図５は、上部ユニット３ａと下部ユニット３ｂに対する主拡散板１１の取り付けを説明する説明図である。
【００３９】
図２に示すように、撮影筐体３は、大部分を占める下部ユニット３ｂの上方に上部ユニット３ａが接続されており、その正面に上部ユニット３ａおよび下部ユニット３ｂにまたがって主拡散板１１が設けられ、主拡散板１１の下方位置に下部拡散板１５が設けられている。
【００４０】
下部ユニット３ｂは、標準エレベータの室内に入れることが可能な高さ（例えば床面から１９４０mm）に形成されている。この下部ユニット３ｂの底面には、搬送容易にするための車輪Ｓが複数設けられている。これにより、大きく重くなりがちな下部ユニット３ｂを容易に搬送できるようにしている。
【００４１】
上部ユニット３ａは、下部ユニット３ｂよりも上下高さが十分低く（下部ユニット３ｂの１／４以下が好ましく、さらには１／６以下が好ましい。この実施例では下部ユニット３ｂの１／８程度としている）構成されている。この上部ユニット３ａは、下部ユニット３ｂに比べて十分小型で軽量であるため、容易に持ち運ぶことができる。
【００４２】
上部ユニット３ａと下部ユニット３ｂを接続して組み立てた後の撮影筐体３は、標準エレベータの室内に入る高さよりも高くなる（例えば床面から２１９０mm）。また、この撮影筐体３の高さは、一般的なユーザの身長（少なくとも一般女子高生の身長、好ましくは一般的な成人男性の身長）の頭上に少し空間を空けて位置する天井照明装置２１の上面と同程度の高さに位置するようになっている。
【００４３】
主拡散板１１は、平面視が後方へ凸な円弧状に湾曲しており、上下方向にまっすぐな形状に形成されている。この主拡散板１１は、中央に設けられた中央拡散板１１Ｃと、その左右に設けられた左拡散板１１Ｌおよび右拡散板１１Ｒの３枚構成である。
【００４４】
左拡散板１１Ｌと右拡散板１１Ｒは、左右対称となる同一高さに形成されており、中央拡散板１１Ｃは、左拡散板１１Ｌおよび右拡散板１１Ｒよりも下方の長さ短く形成され、中央拡散板１１Ｃの下部付近に撮影ユニット１３を収納する略四角形の撮影ユニット用孔１２が設けられている。  
これらの左拡散板１１Ｌ、右拡散板１１Ｒ、および中央拡散板１１Ｃは、湾曲した乳白色のアクリル板により形成されている。
【００４５】
撮影ユニット１３は、カメラ７６とタッチパネルモニタ７７が上からこの順で配置されている。カメラ７６は、ユーザをプレビュー撮影して低解像度の動画映像を取得する処理と、本撮影して高解像度の静止画像を取得する処理を実行する。タッチパネルモニタ７７は、ユーザに指でタッチされることで操作入力を許容する。
【００４６】
撮影ユニット１３の４隅には、ＬＥＤ１４がそれぞれ設けられており、撮影ユニット１３の４辺に乳白色の棒状の板が設けられている。これにより、ＬＥＤ１４を発光させて撮影ユニット１３の４つ角部および４辺を適宜の色に発光する演出を行うことができる。
【００４７】
中央拡散板１１Ｃの下部には、下部拡散板１５が連接されている。この下部拡散板１５は、前下がりに傾斜した傾斜拡散板１５Ｔと、該傾斜拡散板１５Ｔの手前端から下方へ鉛直に下がる足元拡散板１５Ｂとで構成されている。下部拡散板１５の手前端は後方へ凸な湾曲形状であり、足元拡散板１５Ｂも平面視同一形状で上下方向にまっすぐな形状に形成されている。
【００４８】
下部拡散板１５の左右には、台部１７，１８が設けられている。この台部１７，１８は、上面が左拡散板１１Ｌ，右拡散板１１Ｒの下端に接しており、該上面の左拡散板１１Ｌ，右拡散板１１Ｒより手前側が荷物置き台として利用可能となっている。
【００４９】
この台部１７，１８の上面（例えば上面全体や上面の下部拡散板１５側）に装飾用に複数のＬＥＤを設置して光らしてもよい。この場合、ＬＥＤの制御方法として、例えば、撮影コースに応じた色にＬＥＤを発光（点灯または点滅）させて撮影コースと撮影処理の雰囲気を統一する、あるいは、撮影終了後や荷物を置いた時にＬＥＤを適宜の色に発光（点灯または点滅）させることによって荷物が置かれていることをユーザがわかりやすいようにして荷物の置き忘れを防止するといったことができる。  
右側の台部１８には、ゲーム開始用の硬貨投入口７３ａが設けられている。
【００５０】
図３に示すように、撮影筐体３は、上部ユニット３ａの内部と下部ユニット３ｂの内部が連通して構成されている。
【００５１】
上部ユニット３ａは、天井板３１と背面板３６と左側板３２Ｌと右側板３２Ｒとで外形が構成され、正面および底面が開放されている。  
天井板３１は、前方辺が後方へ凸に円弧状に湾曲する湾曲形状に形成されている。この湾曲形状に沿って、主拡散板１１が円弧形状に取り付けられる。
【００５２】
また、上部ユニット３ａの内側には、中央と左右の左側板３２Ｌ，右側板３２Ｒとの間に、左接続支持板３４Ｌ，右接続支持板３４Ｒがそれぞれ設けられている。左接続支持板３４Ｌおよび右接続支持板３４Ｒは、上下方向に長く平面を側方に向けた板状に形成されており、天井板３１の前方辺から背面板３６までを接続するリブの如く配置されている。
【００５３】
この左接続支持板３４Ｌおよび右接続支持板３４Ｒにより、上部ユニット３ａが左、中央、右に３分割される。分割された左の空間には蛍光灯が配置され、中央の空間には蛍光灯が配置され、右の空間には蛍光灯が配置されている。
【００５４】
このように構成された上部ユニット３ａは、左側板３２Ｌ、右側板３２Ｒ、背面板３６、左接続支持板３４Ｌおよび右接続支持板３４Ｒの底辺が同じ高さに位置し、水平面に置くとこれら全ての底辺が安定して接触するように構成されている。
【００５５】
下部ユニット３ｂは、左側板４３Ｌ、右側板４３Ｒ、背面板４６、および底板１９とで外形が構成され、正面および上面が開放されている。
【００５６】
下部ユニット３ｂの内側には、中央と左右の左側板４３Ｌ，右側板４３Ｒとの間に、左接続支持棒４４Ｌ，右接続支持棒４４Ｒがそれぞれ設けられている。左接続支持棒４４Ｌおよび右接続支持棒４４Ｒは、上下方向に長い棒状に形成されており、背面板４６に固定されている。
【００５７】
この左接続支持棒４４Ｌおよび右接続支持棒４４Ｒにより、下部ユニット３ｂが左、中央、右に３分割される。ただし、左接続支持棒４４Ｌおよび右接続支持棒４４Ｒは棒状であるため、空間そのものは左、中央、および右が連通している。
【００５８】
分割された各空間には、種々の照明装置が配置されている。  
詳述すると、まず、中央の空間には、略中央位置に撮影ユニット１３が設けられている。
【００５９】
撮影ユニット１３の左右両側部には、縦長の蛍光灯が設けられている。  
撮影ユニット１３の上部には、照明方向を正面斜め下方へ向けたストロボ照明体６４が設けられている。
【００６０】
撮影ユニット１３のさらに上方で、下部ユニット３ｂの上辺近傍位置には、蛍光灯およびストロボ照明体６３Ｌ，６３Ｒがそれぞれ左右に配設されている。ストロボ照明体６３Ｌ，６３Ｒは、照明方向が正面斜め内側下方に向けられている。
【００６１】
下部ユニット３ｂの左および右の空間には、左側板４３Ｌと右側板４３Ｒの内面にそれぞれ縦長の蛍光灯が設けられている。また、左接続支持棒４４Ｌおよび右接続支持棒４４Ｒの外側近傍位置には、照明方向を内側へ向けたストロボ照明体６２Ｌ，６２Ｒがそれぞれ設けられている。
【００６２】
下部ユニット３ｂの左および右の空間の底面にあたる台部１７，１８の上面には、円弧状の取付ガイド４７Ｌ，４７Ｒが設けられている。この取付ガイド４７Ｌ，４７Ｒは、上部ユニット３ａの前方辺に対向して同一形状に湾曲形成されている。
【００６３】
撮影ユニット１３の下方には、下部から照明するための下部照明空間Ｅ３が設けられている。  
照明空間Ｅ３は、左右が台部１７，１８により挟まれて構成されており、その左右上部に前下がりの傾斜面を作り出すための傾斜ガイド４８Ｌ，４８Ｒが左右対称に設けられている。
【００６４】
この傾斜ガイド４８Ｌ，４８Ｒは、上端が左接続支持棒４４Ｌおよび右接続支持棒４４Ｒにそれぞれ繋がっている。  
また、それぞれの傾斜ガイド４８Ｌ，４８Ｒの上端間には、後方へ凸となる円弧状の取付ガイド４９が設けられている。
【００６５】
照明空間Ｅ３の中央より少し上方部分には、正面視略Ｖ字形状でその中央が水平に面取りされた反射板６９が設けられ、該反射板６９の上部に照明方向を前方斜め上へ向けたストロボ照明体６５、および蛍光灯が設けられている。
【００６６】
反射板６９の下方には、左右両側部にストロボ照明体６６Ｌ，６６Ｒおよび蛍光灯が設けられており、底板１９の上面に横長の蛍光灯が設けられている。
【００６７】
底板１９は、前方辺が後方へ凸に円弧状に湾曲する湾曲形状に形成されている。この湾曲形状に沿って、図２に示した下部拡散板１５の足元拡散板１５Ｂが円弧形状に取り付けられる。
【００６８】
このように構成された下部ユニット３ｂは、左側板４３Ｌ、右側板４３Ｒ、左接続支持棒４４Ｌ、右接続支持棒４４Ｒ、および背面板４６の上辺が同じ高さに位置し、この上に水平な板を載せると、これら全ての上辺が安定して接触するように構成されている。
【００６９】
このように構成された撮影筐体３は、図４の分解斜視図に示すように、主拡散板１１（図２参照）が取り外された状態で、上部ユニット３ａと下部ユニット３ｂに分離して搬送される。
【００７０】
下部ユニット３ｂには、下部拡散板１５が取り付けられる。このとき、下部拡散板１５の傾斜拡散板１５Ｔの両側辺は、傾斜ガイド４８Ｌ，４８Ｒに固定される。また、下部拡散板１５の足元拡散板１５Ｂの底辺は、底板１９の前方辺に沿って固定され、美しい湾曲形状が保たれる。
【００７１】
図５の分解斜視図に示すように、下部ユニット３ｂに上部ユニット３ａが接続されると、上部ユニット３ａの左側板３２Ｌおよび右側板３２Ｒの底辺と、下部ユニット３ｂの左側板４３Ｌおよび右側板４３Ｒの上辺がしっかり当接し、上下一直線に結合される。このとき、左側板３２Ｌおよび右側板３２Ｒの取付ガイド３３Ｌ，３３Ｒと、左側板４３Ｌおよび右側板４３Ｒの取付ガイド４２Ｌ，４２Ｒは上下に一直線になり、主拡散板１１をガタツキなくしっかり取り付けることができるようになる。
【００７２】
また、上部ユニット３ａの左接続支持板３４Ｌおよび右接続支持板３４Ｒの底辺と、下部ユニット３ｂの左接続支持棒４４Ｌおよび右接続支持棒４４Ｒの上辺がしっかり当接し、上下一直線に結合される。このとき、左接続支持板３４Ｌおよび右接続支持板３４Ｒの取付ガイド３５Ｌ，３５Ｒと、左接続支持棒４４Ｌおよび右接続支持棒４４Ｒの取付ガイド４５Ｌ，４５Ｒは上下に一直線になり、主拡散板１１をガタツキなくしっかり取り付けることができるようになる。
【００７３】
そして、上部ユニット３ａの下面が開放され、かつ下部ユニット３ｂの上面が開放されているため、上部ユニット３ａの内部空間Ｅ１と下部ユニット３ｂの内部空間Ｅ２が連通し、一体の空間が形成される。この一体の空間内で各種照明器具の照明光が反射等するため、１つの大きな照明ボックスとして機能する。
【００７４】
この状態で、主拡散板１１は、中央拡散板１１Ｃ、左拡散板１１Ｌ、および右拡散板１１Ｒの３枚が、それぞれの側辺（１１Ｌｂ，１１Ｃａ，１１Ｃｂ，１１Ｒａ）を重ね合わせた状態で、上部ユニット３ａおよび下部ユニット３ｂに取り付けられる。
【００７５】
左拡散板１１Ｌは、上辺が天井板３１の前方辺の左側の湾曲部分に固定され、右辺１１Ｌｂが取付ガイド３５Ｌと取付ガイド４５Ｌに固定され、左辺１１Ｌａが取付ガイド３３Ｌと取付ガイド４２Ｌに固定され、下辺が取付ガイド４７Ｌに固定される。
【００７６】
右拡散板１１Ｒは、上辺が天井板３１の前方辺の右側の湾曲部分に固定され、左辺１１Ｒａが取付ガイド３５Ｒと取付ガイド４５Ｒに固定され、右辺１１Ｒｂが取付ガイド３３Ｒと取付ガイド４２Ｒに固定され、下辺が取付ガイド４７Ｒに固定される。
【００７７】
中央拡散板１１Ｃは、上辺が天井板３１の前方辺の中央部分に固定され、左辺１１Ｃａが取付ガイド３５Ｌと取付ガイド４５Ｌに固定され、右辺１１Ｃｂが取付ガイド３５Ｒと取付ガイド４５Ｒに固定され、底辺が取付ガイド４９に固定される。
【００７８】
この固定により、中央拡散板１１Ｃ、左拡散板１１Ｌ、および右拡散板１１Ｒにより構成される主拡散板１１は、外周の上部が上部ユニット３ａに隙間なく取り付けられ、外周の中部および下部が下部ユニット３ｂに隙間なく取り付けられて、主拡散板１１の外周全体が撮影筐体３に隙間なく取り付けられる。
【００７９】
図６は、取付ガイド３５Ｌ，４５Ｌにまたがって固定される左拡散板１１Ｌおよび中央拡散板１１Ｃの固定構造を断面図により説明する説明図である。  
図６（Ａ）は、取付ガイド４５Ｌに左拡散板１１Ｌおよび中央拡散板１１Ｃを固定した状態の横断面拡大図である。  
下部ユニット３ｂ（図５参照）に設けられた左接続支持棒４４Ｌの正面である取付ガイド４５Ｌには、左拡散板１１Ｌの右端部（図５の右辺１１Ｌｂ近傍）が当接し、さらにその前面に中央拡散板１１Ｃの左端部（図５の左辺１１Ｃａ近傍）が当接した状態で、ネジＮによって固定される。このネジＮは、中央拡散板１１Ｃおよび左拡散板１１Ｌを貫通して左接続支持棒４４Ｌにネジ止めされる。
【００８０】
図６（Ｂ）は、図６（Ａ）のＡ−Ａ断面を示す拡大断面図である。この図に示すように、左拡散板１１Ｌおよび中央拡散板１１Ｃの上方部分は、上部ユニット３ａ（図５参照）に設けられた左接続支持板３４Ｌの正面である取付ガイド３５ＬにネジＮでネジ止めされる。
【００８１】
同様に、取付ガイド３５Ｒおよび取付ガイド４５Ｌには、右拡散板１１Ｒの左端部と中央拡散板１１Ｃの右端部がネジＮによってネジ止め固定される。
【００８２】
このようにして、中央拡散板１１Ｃ、左拡散板１１Ｌ、および右拡散板１１Ｒからなる主拡散板１１は、上部ユニット３ａと下部ユニット３ｂにまたがって固定される。  
このため、上部ユニット３ａと下部ユニット３ｂとをつなぐ部分は、撮影筐体３の撮影方向となる撮影空間部２側になく、撮影筐体３を正面から見た時につなぎ目が見えないようになっている。
【００８３】
図７は、写真シール作成装置１の構成を示すブロック図である。  
写真シール作成装置１は、制御装置７２に接続して、記憶部７１、通信部８１、ドライブ８２、ＲＯＭ８４、ＲＡＭ８５、撮影部７０、編集部９０、およびプリンタ９７が設けられている。
【００８４】
記憶部７１は、ハードディスクなどの記憶装置で構成されている。この記憶部７１は、編集処理に使用する編集ツールのデータ、照明設定データ、撮影コースのデータ、事後接客処理のデータ、およびプレイ時間設定データなどの各種データを記憶しており、制御装置７２による設定情報の読み込みおよび保存を許容する。
【００８５】
通信部８１は、インターネットなどの通信網を介してサーバ等の適宜の装置と通信するＬＡＮカード等の通信装置で構成されている。この通信部８１は、制御装置７２の制御信号に従って、撮影画像や編集画像をサーバのデータベースに登録する、あるいはユーザのメールアドレスへ撮影画像や編集画像を送信するといった動作を行う。
【００８６】
ドライブ８２は、携帯型の不揮発性メモリやＵＳＢメモリといったリムーバブルメディア８３に対してデータの読み書きを行うドライブ装置で構成されている。このドライブ８２は、制御装置７２の制御信号に従って、撮影画像や編集画像をユーザの所有するリムーバブルメディア８３に書き込み、またリムーバブルメディア８３に記憶されている撮影画像や編集画像、あるいは編集用アイテムといったデータを読取る。
【００８７】
ＲＯＭ８４は、写真シール作成装置１で実行するゲームのプログラムやメンテナンス用のプログラムなど、各種プログラムやデータを記憶している。ゲームのプログラムには、撮影コースに応じて照明設定や編集ツールを切り替えるプログラムや事後接客のプログラムが含まれている。  
ＲＡＭ８５は、制御装置７２によって一時記憶領域として使用される。
【００８８】
撮影部７０は、硬貨処理部７３、照明装置７５、カメラ７６、タッチパネルモニタ７７、およびスピーカ７９といったように、撮影筐体３に設けられた各種装置で構成されている。
【００８９】
硬貨処理部７３は、硬貨投入口７３ａ（図２参照）から投入された硬貨の投入金額が１ゲーム（貨幣投入から写真シール排出まで）に必要な金額以上であれば、起動信号を制御装置７２に送信する。
【００９０】
背景制御部７４は、制御装置７２から受信した背景制御信号に従って背景制御ユニット７４ａ（図１参照）を制御し、背景カーテンを下降させて背景色を制御する。
【００９１】
照明装置７５は、制御装置７２から受信した照明制御信号に従い、上述した各ストロボ照明体６２Ｌ，６２Ｒ，６３Ｌ，６３Ｒ，６４，６５，６６Ｌ，６６Ｒから閃光を照射し、この閃光を撮影筐体３内で反射させてから主拡散板１１および下部拡散板１５を透過させ、拡散した面光でユーザを全体的に明るく照明する。また、照明装置７５は、制御装置７２から受信した照明制御信号に従い、ＬＥＤ１４（図２参照）を適宜の色に発光させる。また、照明装置７５は、電源ＯＮの間、蛍光灯を常時点灯しておく。なお、撮影ユニット１３裏に図示省略するストロボ照明体を設置してもよい。この場合、アップで撮影する際に十分な光が被写体にあたるようにすることができる。
【００９２】
カメラ７６は、制御装置７２から受信したシャッタ信号に従って撮影を実行し、取得した撮影画像や動画映像の画像データを制御装置７２に送信する。
【００９３】
タッチパネルモニタ７７は、制御装置７２からＲＧＢ信号を受信し、撮影コースの選択画面の表示、撮影の際のポーズの案内、および撮影タイミングのカウントダウンなど、撮影に必要な情報を表示する。また、ユーザにタッチ入力された座標信号を制御装置７２に送信する。
【００９４】
また、タッチパネルモニタ７７は、ライブビューモニタ７８としての機能も備えており、制御装置７２から受信したＲＧＢ信号に従って、撮影前の確認用にカメラ７６で撮影している動画映像をリアルタイムでライブビュー表示し、また撮影により取得した撮影画像を静止画表示するといった表示を実行する。
【００９５】
このライブビューモニタ７８は、撮影画像を視認できる表示手段であればよく、例えばＣＲＴディスプレイ、液晶ディスプレイ、又は、画像を投射するプロジェクタや映写機等の投射手段と上記画像を写像（像を写し出す）するスクリーンやカーテンや筐体等の写像手段とを有する投射写像手段で構成する、あるいは鏡で構成することができる。
【００９６】
スピーカ７９は、制御装置７２の音声信号に従って、撮影のシャッタタイミングを知らせるカウントダウンや、編集筐体４の前の編集空間への移動を促す移動案内などを音声によりアナウンスする。
【００９７】
編集部９０は、タブレット内蔵モニタ９１、タッチペン９４、スピーカ９５、および硬貨処理部９６で構成されている。  
タブレット内蔵モニタ９１は、表示手段として画像を表示する編集用モニタ９２、および入力手段としてタッチ入力を検知するタブレット９３により構成されている。このタブレット内蔵モニタ９１の編集用モニタ９２は、制御装置７２から受信するＲＧＢ信号に従って、撮影画像のサムネイル画像、フリーハンドペンや塗りつぶしツールやスタンプツールや背景ツールといった編集ツール、および編集中の編集画像など、編集に必要な画像を表示する。また、タブレット内蔵モニタ９１のタブレット９３は、タッチペン９４によってユーザにタッチ入力された座標を入力信号として制御装置７２に送信する。
【００９８】
このタブレット内蔵モニタ９１は、撮影画像に編集を行う編集手段として機能するものであればよく、例えばマウス等の他のポインティングデバイス（座標入力手段）で構成することもできる。
【００９９】
スピーカ９５は、制御装置７２からの音声信号に従って、編集許容する残り時間や編集操作の説明などを音声によりアナウンスする。  
硬貨処理部９６は、硬貨投入口９６ａ（図１参照）から投入された硬貨の投入金額が追加印刷に必要な金額以上であれば、起動信号を制御装置７２に送信する。  
プリンタ９７は、制御装置７２から受信する印刷データを、シール紙ユニット９８に備えられているシール紙９９に印刷する。
【０１００】
図８は、写真シール作成装置１の制御装置７２が実行するゲーム処理のフローチャートを示す。  
制御装置７２は、ゲーム料金分の硬貨の投入を硬貨処理部７３で確認するまで待機する（ステップＳ１：ＮＯ）。ゲーム料金分の貨幣が投入されると（ステップＳ１：ＹＥＳ）、制御装置７２は、撮影処理を実行する（ステップＳ２）。
【０１０１】
この撮影処理の際、制御装置７２は、カメラ７６で取得している動画映像をライブビューモニタ７８にリアルタイム表示してユーザにポーズをとらせる。このリアルタイム表示されるユーザの動画映像は、広い面積でつなぎ目のない主拡散板１１から拡散照射される蛍光灯の光で照らされている状態のユーザであるため、写りのよい状態で表示される。またこのとき、制御装置７２は、ユーザに選択させた撮影コースに応じて、合成用背景画像や合成用前景画像などの合成用画像と撮影中の動画像を合成した合成動画像をライブビューモニタ７８に表示する。これにより、ユーザは、仕上がりイメージを確認しながらポーズを取ることができる。
【０１０２】
なお、前記合成用画像に関して、制御装置７２は、撮影コースに合った合成用画像を用いるか、撮影開始前に複数種類の合成用画像を選択可能にタッチパネルモニタ７７に表示してユーザに選択させる。
【０１０３】
制御装置７２は、タッチパネルモニタ７７の表示とスピーカ７９による音声でカウントダウンを行い、このカウントダウンの終了タイミングで照明装置７５に照明制御信号を送信すると共にカメラ７６にシャッタ信号を送信する。
【０１０４】
これにより、照明装置７５の各ストロボ照明体６２Ｌ，６２Ｒ，６３Ｌ，６３Ｒ，６４，６５，６６Ｌ，６６Ｒから閃光を照射し、この閃光により照明されたユーザが背景とともに写っている撮影画像をカメラ７６により取得する。このときの照明は、広い面積でつなぎ目のない主拡散板１１で拡散された安定した面光であり、平面視円弧状に綺麗に湾曲した主拡散板１１により撮影空間部２の中心に向かって光がまんべんなく集められている。このため、自然で美しい撮影画像を得ることができる。  
なお、撮影処理を複数回繰り返して複数枚の撮影画像を取得する構成にすることが好ましい。
【０１０５】
また、制御装置７２は、取得した撮影画像から背景板２３や背景カーテンなどのクロマキーシートが写っている部分を切り落としてユーザ部分を取出し、このユーザ部分の画像を選択された合成用背景画像の上に重ねるクロマキー合成を行って合成編集画像を作成する。このようなクロマキー合成を行うことで、撮影時のポーズにあった合成編集画像を作成することができる。
【０１０６】
制御装置７２は、タッチパネルモニタ７７の表示およびスピーカ７９の音声出力により、編集筐体４の前にある編集空間のいずれか一方にユーザを移動させる移動案内を行う（ステップＳ３）。
【０１０７】
制御装置７２は、ユーザを案内した編集空間のタブレット内蔵モニタ９１により編集処理を実行する（ステップＳ４）。この編集処理で、制御装置７２は、前記ステップＳ２で作成した合成編集画像をタブレット内蔵モニタ９１に表示し、この合成編集画像に対してユーザがタッチペン９４でアイコン画像や線画像などを描くことを許容し、編集画像を作成する。
【０１０８】
編集処理が終了すると、制御装置７２は、編集画像に基づく印刷用画像をシール紙９９に印刷する印刷処理を実行する（ステップＳ５）。詳述すると、制御装置７２は、タブレット内蔵モニタ９１でユーザに印刷レイアウトを選択させ、選択された印刷レイアウトに編集画像を配置して印刷用画像を作成し、この印刷用画像をシール紙９９に印刷する。
【０１０９】
タブレット内蔵モニタ９１横の硬貨投入口９６ａから追加印刷用の硬貨が投入されれば（ステップＳ６：Ｙｅｓ）、制御装置７２は、追加印刷処理を実行する（ステップＳ７）。この追加印刷処理は、ステップＳ５と同一の写真シールを追加印刷する、あるいは、ステップＳ５と異なる写真シールを追加印刷するなど、適宜の印刷とすることができる。
【０１１０】
ステップＳ６で追加印刷用硬貨が投入されなかったか（ステップＳ６：Ｎｏ）、ステップＳ７の追加印刷処理が終了すれば、制御装置７２は、タブレット内蔵モニタ９１により事後接客処理を実行する（ステップＳ８）。この事後接客処理は、撮影画像または編集画像を任意の携帯端末に送信するゲームや、アンケート入力や、ミニゲームなど、適宜の接客処理を実行すると良い。
【０１１１】
事後接客処理が終了すると、制御装置７２は、タブレット内蔵モニタ９１の表示およびスピーカ９５の音声出力により、ユーザを写真シールシート排出口９７ａの前まで移動させる移動案内を行う（ステップＳ９）。
【０１１２】
制御装置７２は、印刷完了したシール紙を写真シールシート排出口９７ａから排出し（ステップＳ１０）、ユーザに写真シールシートを提供してゲームを終了する。このようにして、写真シール作成装置１によりユーザの写真を撮影し編集して編集画像を出力する写真撮影編集方法を実施することができる。
【０１１３】
以上の構成により、分離して運搬した後に設置場所にて短時間で容易に組み立てることが可能で、かつ、接続箇所の前面からの十分な光を照射でき、被写体を美しく照明できる写真シール作成装置１を提供し、ユーザ（被写体）の満足度を向上させることができる。
【０１１４】
図９（Ａ）の側面図に示すように、ユーザが前、中央、後ろのどの位置にいても、主拡散板１１を通じて前から照明光を照射し、天井照明装置２１により上から照明光を照射し、下部拡散板１５を通じて足元と斜め下方からの照明光を照射することができる。
【０１１５】
また、図９（Ｂ）の平面図に示すように、ユーザが前、中央、後ろのどの位置にいても、全体に内向きに湾曲した主拡散板１１を通じて全体から光で包み込むように照明することができる。
【０１１６】
また、撮影筐体３自体は所定の高さで分離できるため、人を運ぶエレベータに載せて容易に運搬することができ、任意の設置場所にて組み立てることができる。  
また、組み立てた撮影筐体３の高さは、一般的なエレベータの室内高さより高くなり、一般的なユーザの身長の頭上少し上に配置される天井照明装置２１と同じ高さになるため、ユーザの顔や頭髪を照明するために必要な高さを十分確保することができる。
【０１１７】
また、組み立てて合体させた撮影筐体３の正面部につなぎ目のわからない湾曲型の主拡散板１１を備える構成であるため、見た目上分離される部分がわからず、被写体の上から下まで均等に全身を前方より包みこむ光を発光することができ、写りのよい撮影画像を提供することができる。
【０１１８】
また、主拡散板１１は、上下方向につなぎ目が全くないため、ユーザの身長差によって顔の高さが異なる位置となっても、変わらず均等に照明することができる。すなわち、上下方向につなぎ目が存在すると、そのつなぎ目部分の照明が弱くなり、この照明の弱くなった部分にユーザの顔や頭髪が位置するような身長であれば、そのユーザの顔や頭髪が暗く写ることになる。特に多人数で撮影した際に、身長の異なるユーザだけ暗く写るといったことになると、ユーザの満足度低下に繋がりやすい。このようなことを、上下方向につなぎ目の存在しない主拡散板１１により防止することができる。
【０１１９】
また、上部ユニット３ａと下部ユニット３ｂの接続部分は、ユーザが写りを重視する顔や頭髪に近い位置であるため、つなぎ目が存在することによる光量低下が写りに影響しやすいが、上部ユニット３ａの正面および下面と下部ユニット３ｂの正面および下面を開放して連通し、さらに上下方向につなぎ目のない主拡散板１１を備えることにより、光量低下部分をなくして美しい照明効果を得ることができる。従って、顔や頭髪を明るく照明でき、美しい撮影画像を得ることができる。
【０１２０】
また、下部ユニット３ｂは車輪Ｓを備えているため容易に運搬できると共に、上部ユニット３ａは下部ユニット３ｂより小型軽量であるために車輪がなくとも容易に持ち運ぶことができる。
【０１２１】
また、撮影筐体３の前面、主拡散板１１、および下部拡散板１５は、左右対称であるため、左右均等に照明することができ、ユーザの立ち位置による照明の差が出ないようにして美しく撮影することができる。
【０１２２】
また、ユーザの足元を照明する傾斜拡散板１５Ｔが、平面視カメラ７６よりも撮影空間部２側に設けられているため、ユーザがカメラ７６に近づきすぎず、カメラ７６から一定の距離を保つことができる。これにより、ユーザのアップ画像を綺麗に撮影することができる。
【０１２３】
なお、上述した実施例では、カメラ７６で撮影した撮影画像に対して編集する構成としたが、画像データを適宜取得する取得手段を備えて、カメラ７６による撮影画像以外の画像データに対しても編集許容する構成としてもよい。
【０１２４】
この場合、取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することができる。取得手段で取得する画像データは、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することができる。
【０１２５】
この発明の構成と、上述の実施形態との対応において、
この発明の写真撮影編集装置は、実施形態の写真シール作成装置１に対応し、
以下同様に、
拡散板は、主拡散板１１に対応し、
中央部拡散板は、中央拡散板１１Ｃに対応し、
側部拡散板は、左拡散板１１Ｌおよび右拡散板１１Ｒに対応し、
撮影手段は、カメラ７６に対応し、
傾斜面は、傾斜拡散板１５Ｔに対応し、
湾曲面は、足元拡散板１５Ｂに対応し、
上部ユニット側部固定ガイドは、取付ガイド３３Ｌ，３３Ｒに対応し、
側部固定ガイドは、取付ガイド３３Ｌ，３３Ｒおよび取付ガイド４２Ｌ，４２Ｒに対応し、
上部ユニット中間部固定ガイドは、取付ガイド３５Ｌ，３５Ｒに対応し、
中間部固定ガイドは、取付ガイド３５Ｌ，３５Ｒおよび取付ガイド４５Ｌ，４５Ｒに対応し、
下部ユニット側部固定ガイドは、取付ガイド４２Ｌ，４２Ｒに対応し、
下部ユニット中間部固定ガイドは、取付ガイド４５Ｌ，４５Ｒに対応し、
照明手段は、照明装置７５に対応し、
編集手段は、タブレット内蔵モニタ９１に対応し、
出力手段は、プリンタ９７に対応し、
撮影処理は、ステップＳ２に対応し、
編集処理は、ステップＳ４に対応し、
出力処理は、ステップＳ５に対応するが、
この発明は、上述の実施形態の構成のみに限定されるものではなく、多くの実施の形態を得ることができる。
【産業上の利用可能性】
【０１２６】
この発明は、ユーザを照明しつつ撮影して撮影画像を取得し、この撮影画像に編集を加える写真撮影編集装置に利用することができる。
【符号の説明】
【０１２７】
１…写真シール作成装置、３…撮影筐体、３ａ…上部ユニット、３ｂ…下部ユニット、１１…主拡散板、１１Ｃ…中央拡散板、１１Ｌ…左拡散板、１１Ｒ右拡散板、１３…撮影ユニット、１５…下部拡散板、１５Ｔ…傾斜拡散板、１５Ｂ…足元拡散板、３３Ｌ，３３Ｒ，３５Ｌ，３５Ｒ，４２Ｌ，４２Ｒ，４５Ｌ，４５Ｒ…取付ガイド、７５…照明装置、７６…カメラ、９１…タブレット内蔵モニタ、９７…プリンタ
【図１】
2010256579.tif 000003
【図２】
2010256579.tif 000004
【図３】
2010256579.tif 000005
【図４】
2010256579.tif 000006
【図５】
2010256579.tif 000007
【図６】
2010256579.tif 000008
【図７】
2010256579.tif 000009
【図８】
2010256579.tif 000010
【図９】
2010256579.tif 000011